【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
負荷が接続された負荷系統と商用電力系統とを接続する配線に接続され、前記負荷系統に電力を供給することが出来る補助電力系統と、
制御部とを備え、
前記制御部は、
前記商用電力系統からの受電電力を算出する基準となる前記基準期間を分割した分割期間における前記負荷系統の消費電力が予め決められた設定電力よりも大きいとき、前記消費電力と前記設定電力との差分である補助電力を計算し、次の分割期間に前記補助電力を前記補助電力系統から供給するとともに、
後の分割期間において前記負荷系統の消費電力が前記設定電力を越えた場合の差分となるような事前ストック電力を、供給すべき対象の分割期間よりも前の分割期間に前記補助電力系統から予め供給する制御を行う、電力供給システム。
【請求項２】
前記供給すべき対象の分割期間は、前記基準期間の複数の前記分割期間のうちの最後の分割期間を含む期間である、請求項１記載の電力供給システム。
【請求項３】
前記補助電力が前記補助電力系統から供給可能な電力を超えている場合、その供給可能な電力を超えた超過電力の情報を保持しておき、前記制御部は、さらに次の分割期間の前記補助電力に前記超過電力を加算したものを前記補助電力系統から供給する請求項１または請求項２に記載の電力供給システム。
【請求項４】
前記制御部は一定期間の前記消費電力の最大値の情報を保持しており、制御部が、前記消費電力の最大値と前記設定電力との差分を前記事前ストック電力とする請求項１から請求項３のいずれかに記載の電力供給システム。
【請求項５】
前記制御部は補助電力と前記事前ストック電力との和が補助電力系統から供給可能な電力の最大値となるように前記事前ストック電力を決定する請求項１または請求項２に記載の電力供給システム。
【請求項６】
負荷が接続された負荷系統と商用電力系統とを接続する配線に接続され、前記負荷系統に電力を供給することが出来る補助電力系統の制御装置であって、
前記商用電力系統からの受電電力を算出する基準となる基準期間を分割した分割期間における前記負荷系統の消費電力が予め決められた設定電力よりも大きいとき、前記消費電力と前記設定電力との差分である補助電力を計算し、次の分割期間に前記補助電力を前記補助電力系統から供給するとともに、
後の分割期間において前記負荷系統の消費電力が前記設定電力を越えた場合の差分となるような事前ストック電力を、供給すべき対象の分割期間よりも前の分割期間に前記補助電力系統から予め供給する制御を行う、制御部を備える制御装置。
【請求項７】
負荷が接続された負荷系統と商用電力系統とを接続する配線に接続され、前記負荷系統に電力を供給することが出来る補助電力系統の制御部における制御方法であって、
前記制御部は、
前記商用電力系統からの受電電力を算出する基準となる基準期間を分割した分割期間における前記負荷系統の消費電力が予め決められた設定電力よりも大きいとき、前記消費電力と前記設定電力との差分である補助電力を計算し、次の分割期間に前記補助電力を前記補助電力系統から供給するとともに、
後の分割期間において前記負荷系統の消費電力が前記設定電力を越えた場合の差分となるような事前ストック電力を、供給すべき対象の分割期間よりも前の分割期間に前記補助電力系統から予め供給する、制御方法。
【手続補正２】
【補正対象書類名】明細書
【補正対象項目名】発明の名称
【補正方法】変更
【補正の内容】
【発明の名称】電力供給システム、制御装置および制御方法
【手続補正３】
【補正対象書類名】明細書
【補正対象項目名】００１７
【補正方法】変更
【補正の内容】
【００１７】
上記目的を達成するため本発明は、負荷が接続された負荷系統と商用電力系統とを接続する配線に接続され、前記負荷系統に電力を供給することが出来る補助電力系統と、制御部とを備え、前記制御部は、前記商用電力系統からの受電電力を算出する基準となる前記基準期間を分割した分割期間における前記負荷系統の消費電力が予め決められた設定電力よりも大きいとき、前記消費電力と前記設定電力との差分である補助電力を計算し、次の分割期間に前記補助電力を前記補助電力系統から供給するとともに、後の分割期間において前記負荷系統の消費電力が前記設定電力を越えた場合の差分となるような事前ストック電力を、供給すべき対象の分割期間よりも前の分割期間に前記補助電力系統から予め供給する制御を行う、電力供給システムを提供する。
【手続補正４】
【補正対象書類名】明細書
【補正対象項目名】００２０
【補正方法】変更
【補正の内容】
【００２０】
上記構成において、前記供給すべき対象の分割期間は、前記基準期間の複数の前記分割期間のうちの最後の分割期間を含む期間であってもよい。
また、上記構成において、前記制御部が前記事前ストック電力の加算を前記基準期間の前半に行ってもよい。
【手続補正５】
【補正対象書類名】明細書
【補正対象項目名】００２４
【補正方法】変更
【補正の内容】
【００２４】
上記構成において、前記補助電力が前記補助電力系統から供給可能な電力を超えている場合、その供給可能な電力を超えた超過電力の情報を保持しておき、前記制御部は、さらに次の分割期間の前記補助電力に前記超過電力を加算したものを前記補助電力系統から供給してもよい。
【手続補正６】
【補正対象書類名】明細書
【補正対象項目名】００２６
【補正方法】変更
【補正の内容】
【００２６】
上記構成において、前記制御部は補助電力と前記事前ストック電力との和が補助電力系統から供給可能な電力の最大値となるように前記事前ストック電力を決定してもよい。
【手続補正７】
【補正対象書類名】明細書
【補正対象項目名】００２９
【補正方法】変更
【補正の内容】
【００２９】
上記構成において、前記補助電力系統は、発電装置を備えていてもよい。前記発電装置
としては、ガスタービン及び（又は）蒸気タービンを用いる発電装置、太陽光発電装置、
風力発電装置、燃料電池等を挙げることができる。
また、上記目的を達成するための制御装置は、負荷が接続された負荷系統と商用電力系統とを接続する配線に接続され、前記負荷系統に電力を供給することが出来る補助電力系統の制御装置であって、前記商用電力系統からの受電電力を算出する基準となる基準期間を分割した分割期間における前記負荷系統の消費電力が予め決められた設定電力よりも大きいとき、前記消費電力と前記設定電力との差分である補助電力を計算し、次の分割期間に前記補助電力を前記補助電力系統から供給するとともに、後の分割期間において前記負荷系統の消費電力が前記設定電力を越えた場合の差分となるような事前ストック電力を、供給すべき対象の分割期間よりも前の分割期間に前記補助電力系統から予め供給する制御を行う。
さらに、上記目的を達成するための制御方法は、負荷が接続された負荷系統と商用電力系統とを接続する配線に接続され、前記負荷系統に電力を供給することが出来る補助電力系統の制御部における制御方法であって、前記制御部は、前記商用電力系統からの受電電力を算出する基準となる基準期間を分割した分割期間における前記負荷系統の消費電力が予め決められた設定電力よりも大きいとき、前記消費電力と前記設定電力との差分である補助電力を計算し、次の分割期間に前記補助電力を前記補助電力系統から供給するとともに、後の分割期間において前記負荷系統の消費電力が前記設定電力を越えた場合の差分となるような事前ストック電力を、供給すべき対象の分割期間よりも前の分割期間に前記補助電力系統から予め供給する。